(57)【要約】【課題】  目地処理の精度と作業効率を向上できる壁用建築材を提供する。【解決手段】  石膏ボード１１のエッジ部１０の断面形状が曲線となる構成とし、ボードを相互に接合したときに形成される溝１５の最上部を結ぶ線を、その曲線の接線に一致させることで、下地パテの塗り工程および除去工程が容易になる。また、石膏ボードの接合部分に形成される溝の壁面が上に凸の曲面であるため、従来のＶ字状の溝と比べて目地処理に必要となるパテの量が少なくなる。【選択図】        図４
2005256299.tif 000002
【特許請求の範囲】
【請求項１】
側端部を接合面として他のボードと接合して使用する壁用建築材であって、前記接合面の全部または一部を断面形状が所定曲率の曲線となる曲面で構成したことを特徴とする壁用建築材。
【請求項２】
前記曲線は真円または楕円の一部であり、前記接合面方向に凸の曲線であることを特徴とする請求項１記載の壁用建築材。
【請求項３】
前記曲線は、真円または楕円の１／４円周分の長さを有することを特徴とする請求項２記載の壁用建築材。
【請求項４】
前記曲線は、真円または楕円の１／２円周分の長さを有することを特徴とする請求項２記載の壁用建築材。
【請求項５】
側端部を接合面として他のボードと接合して使用する壁用建築材であって、当該壁用建築材を接合した際に前記接合面により形成される溝の壁面が接合方向に凸の曲面で構成されていることを特徴とする壁用建築材。
【発明の詳細な説明】
【技術分野】
【０００１】
本発明は、例えば、建築物の天井や壁に貼り付けて使用する石膏ボード等の壁用建築材に関するものである。
【背景技術】
【０００２】
建築物の内壁、天井等を形成する際に下地材として使用される壁用建築材である石膏ボード（プラスターボード）は、その用途や表面加工処理、心材に使用する材料等に応じて、ＪＩＳ（日本工業規格）によっていくつかの種類に分類されている。例えば、壁や天井の下地材としての標準的な石膏ボードをはじめとして、両面のボード用紙と芯（コア）の石膏に防水処理を施して、主に台所等の屋内の壁や天井に使用する石膏ボード、標準的な石膏ボードの表面を化粧加工したもの等がある。
【０００３】
また、石膏ボードの表面と裏面、および端面部分（エッジ部）は、通常、ボード用原紙で被覆されており、そのエッジ部分の形状として、ボードの表面と裏面を９０度角で直線状につなぐ形状のスクエアエッジ（その断面形状を図７の（ａ）に示す）、端部になだらかな傾斜を設けた形状を有するテーパーエッジ（図７（ｂ）参照）、端部に設けた傾斜を短く、かつ急峻にした形状のベベルエッジ（図７（ｃ）参照）がある。
【０００４】
個々の石膏ボードは、通常、規格化された大きさを有しており、形成しようとする内壁、天井等の面積に応じた複数枚の石膏ボードを、その端部を互いに密着させて平面状に並べて壁面に固定する。そして、石膏ボード相互間の目地部分（突き合わせ部）に目地処理材（パテ）を充填した後、全体にクロス張りをして内装の仕上げを行う。目地処理に使用するパテは、硬化すると収縮するため、通常、複数回重ね塗りを行い、その表面の平滑性を維持することで、石膏ボードの接合部分におけるクロスのたるみ等に起因する内装仕上がりの外観不良の発生を防止している。
【０００５】
図８は、従来の石膏ボード相互の接合部の断面形状を示しており、図８（ａ）は、上述したテーパーエッジ形状の端部を有する石膏ボードの接合部断面形状、図８（ｂ）は、端部がベベルエッジ形状の石膏ボードの接合部断面形状を示している。例えば、特許文献１，２は、図８（ａ）および（ｂ）に示すような、石膏ボードの接合部におけるＶ字状の溝の目地構造について開示している。
【０００６】
【特許文献１】特開平６−２８７５４４号公報
【０００７】
【特許文献２】実開昭６３−７８６３１号公報
【発明の開示】
【発明が解決しようとする課題】
【０００８】
上述したテーパーエッジ形状やベベルエッジ形状という端部形状を有する従来の石膏ボードにおいて、その接合部に形成されるＶ字状の溝に、例えば、へらを用いてパテを充填する場合、充填したパテが乾燥により収縮する。そのため、数回に渡って繰り返しパテ塗りを行い、最後にパテを余盛り状態とした後、その余盛りの下地パテを除去して平面化するという工法をとる。
【０００９】
ここで問題となるのは、余盛りの下地パテを除去する際、上面のパテを削りすぎると、Ｖ字状の溝の傾斜部と平坦部との境界部分がラインとして露出してしまい角の部分が生じ、クロスを貼った場合、表面がスジ状になることである。建物の照明が間接照明の環境下にある場合、このようなスジが特に目立ってしまうという問題がある。
【００１０】
一方、かかる境界部分をラインとして露出させないためには、必要以上に広範囲にわたって精緻な目地処理作業を繰り返し行う必要があり、作業効率が悪化するだけでなく、作業者の資質、力量、熟練度等によって仕上がり精度にばらつきが生じるという問題がある。
【００１１】
本発明は、上述した課題に鑑みなされたものであり、その目的とするところは、目地処理の精度と作業効率を向上することができる壁用建築材を提供することである。
【課題を解決するための手段】
【００１２】
かかる目的を達成し、上述した課題を解決する一手段として、例えば、以下の構成を備える。すなわち、本発明は、側端部を接合面として他のボードと接合して使用する壁用建築材であって、上記接合面の全部または一部を断面形状が所定曲率の曲線となる曲面で構成したことを特徴とする。
【００１３】
例えば、上記曲線は真円または楕円の一部であり、上記接合面方向に凸の曲線であることを特徴とする。
【００１４】
例えば、上記曲線は、真円または楕円の１／４円周分の長さを有することを特徴とする。また、例えば、上記曲線は、真円または楕円の１／２円周分の長さを有することを特徴とする。
【００１５】
上述した課題を解決する他の手段として、例えば、以下の構成を備える。すなわち、側端部を接合面として他のボードと接合して使用する壁用建築材であって、当該壁用建築材を接合した際に上記接合面により形成される溝の壁面が接合方向に凸の曲面で構成されていることを特徴とする。
【発明の効果】
【００１６】
本発明によれば、目地処理作業の効率が向上し、作業員の熟練度に左右されない高精度の目地処理を行うことのできる壁用建築材の提供が可能となる。
【発明を実施するための最良の形態】
【００１７】
以下、添付図面を参照して、本発明に係る実施の形態例を詳細に説明する。図１は、本発明の実施の形態例に係る、壁用ボード等としての石膏ボードの外観斜視図であり、図２は、その側端部（適宜、エッジ部あるいは接合面ともいう）の断面形状を示す部分的な断面図である。図１に示すように、本実施の形態例に係る石膏ボード１１は、規格化された外形寸法（長さＬ×幅Ｗ×厚さＴ）を有し、そのエッジ部１０は、所定の曲率を持つ曲面で構成されている。
【００１８】
すなわち、図２に示すように、石膏ボード１１の側端部１０の断面形状は、半径Ｒの円周の一部分（例えば、１／４円周分）からなる曲線で構成されている。図２に示す例では、ボード表面（上面）１１ａ側の断面形状が上述した曲線で構成され、ボード裏面（下面）１１ｂ側の断面形状は、その曲線に続く直線からなる構造となっている。
【００１９】
図３は、上述した端部構造を有する２枚の石膏ボード１１，１３を相互に接合したときの接合部分の断面形状を示している。図３から分かるように、本実施の形態例に係る石膏ボード１１，１３を相互に接合すると、その接合部分に形成される溝１５は、半径Ｒの曲面の一部分（１／４円周部分に対応する）を両壁面とする、上面方向に開いた構造となる。そのため、壁面の形状は、上に凸の（接合面に向かって突き出た）曲面となり、溝１５の深さも半径Ｒと等しくなる。なお、Ｒの寸法例としては、３Ｒ（半径３ｍｍ），６Ｒ（半径６ｍｍ），９Ｒ（半径９ｍｍ）等を考えることができる。
【００２０】
図４は、本発明の実施の形態例に係る石膏ボードの接合部分に目地処理材（パテ）を充填する目地処理工程等を示している。図４の（ａ）は、石膏ボードの接合部分へ最初にパテを充填したときの様子を示しており、ここでは、少なくとも溝１５の幅を超える大きさのへら等を使用して、溝１５内へ、パテの上面が石膏ボード１１，１３の表面の平坦部１１ａ，１３ａを結ぶ線と一致するようにパテ２０を充填する。図４の（ｂ）は、このように溝１５に充填したパテ２０が乾燥して硬化し、収縮したときの様子を示している。すなわち、パテ２０が乾燥、収縮することで、その上面に凹部３０が形成される。
【００２１】
図４（ｃ）は、パテ２０上の凹部３０を完全に覆うように、さらにパテ２１を充填（重ね塗り）したときの様子を示している。このような重ね塗りにおいては、石膏ボード１１，１３の表面の平坦部１１ａ，１３ａを結んでできるラインよりも上方にパテ２１の最上面がくるように、多めにパテ２１を充填する。
【００２２】
次の工程では、上記と同様のへら等を使用して、図４（ｃ）に示す工程で充填したパテ２１のうち、余盛りの下地パテを除去する。図４（ｄ）は、余盛りの下地パテを除去したときの石膏ボードの接合部分の様子を示しており、この処理工程により、下地パテ除去後におけるパテ２３の最上面の位置が、石膏ボード１１，１３の表面の平坦部と一致することになる。
【００２３】
本実施の形態例に係る石膏ボードでは、接合された石膏ボード１１，１３それぞれの側端部（エッジ部）が、その断面形状が曲線（半径Ｒを有する円周の一部）からなる曲面で構成されているため、上述したパテ２３の最上部の位置を示すラインは、石膏ボード１１，１３の表面の平坦部１１ａ，１３ａを結んでできるラインでもあり、また、かかる曲線の最上点における接線とも一致する。このことは、石膏ボードの表面の平坦部１１ａ，１３ａから、その側端部に形成した曲面へ至る経路には、急激に傾斜（勾配）が変わる部分が存在しないことを意味している。
【００２４】
これに対して、上記従来の断面形状を有する石膏ボードでは、ボードの上面平坦部とＶ字状の溝の壁面部分との境界部分で、その傾斜が顕著かつ急激に変わる。つまり、従来の石膏ボードにおける側端部の断面形状は、所定の傾斜角を有する直線部分を相互に連ねた構成となっているので、余盛りの下地パテの除去作業において、石膏ボードの平面地肌が露見した時点で、傾斜の変わる境界部分が露出することになる。そのため、ボードの平面地肌が露見した時点を作業終了の目安とすることができない。
【００２５】
一方、本実施の形態例に係る石膏ボードでは、余盛りの下地パテの除去工程において、ボードの平面地肌が露見した時点における、パテ２３の最上部の位置を示すラインそのものが、溝１５の曲面（曲線）を構成する円周の最上点での接線となっている。そして、この接線が、石膏ボード１１，１３の表面の平坦部１１ａ，１３ａと一致しているため、地肌の露見時点が、余盛りの下地パテの除去作業を終了する目安となる。
【００２６】
また、溝１５に充填したパテが乾燥して硬化し、収縮したとしても、後述するように、充填するパテの全体量が少ないため、収縮する割合も小さく、重ね塗りする回数も減らすことができる。また、パテと石膏ボードとの境界部分において、そのパテの延びる方向がエッジ部の曲面の接線方向と一致するため、ボードとパテとの境界部分に顕著な段差はできない。
【００２７】
図４（ｅ）は、このような目地処理を終えた石膏ボードの表面にクロス２５を貼り付けたときの断面構成を示している。上述したように、余盛りの下地パテの除去作業後において、石膏ボード１１，１３の表面の平坦部と、溝１５に充填されたパテ２３の最上部の位置とが一致しているだけでなく、それら相互の境界部分がエッジとして現れないため、その部分において、貼着したクロス２５がたるむこともない。よって、クロス張りの仕上がりが良好となり、間接照明等の環境下でも外観不良等の問題が生じない。
【００２８】
次に、本実施の形態例に係る石膏ボードの接合部分に形成される溝と従来のボードにおける接合部分の溝とを比較してみる。上述したように、本実施の形態例に係る石膏ボードの接合部分の溝１５は、その壁面が半径Ｒの曲面の一部分であって、上に凸の曲面であるため、それと溝の幅、および深さが等しいＶ字状の溝と比べた場合、本実施の形態例に係る石膏ボードの溝（ここでは、便宜上、曲線溝と呼ぶ）の容積の方が小さくなる。
【００２９】
より具体的には、従来のＶ字状溝と上記の曲線溝が、ともに溝の幅（２Ｒとする）、深さ（Ｒとする）、および長さ（Ｌとする）が等しいとした場合、Ｖ字状溝の容積Ｖｖは、Ｒ2・Ｌ、曲線溝の容積ＶRは、Ｒ2・Ｌ（４−π）／２となる。そして、両方の容積を対比すると、ＶR／Ｖｖ＝０．４３となる。
【００３０】
このことは、本実施の形態例に係る石膏ボードが、Ｖ字状の溝が形成された従来のボードに比べて、目地処理に必要となるパテの量が、１−０．４３＝０．５７、つまり、５７％少なくて済むことを意味している。また、溝に充填されたパテの量が少ないことは、同時にパテの乾燥に要する時間が短くなることを意味している。
【００３１】
以上説明したように、本実施の形態例によれば、石膏ボードのエッジ部の断面形状が曲線となる構成とし、ボードを相互に接合したときに形成される溝の最上部を結ぶ線が、その曲線の接線と一致して、しかも、この接線が石膏ボードの表面の平坦部とも一致しているため、余盛りの下地パテの除去工程において、ボードの平面地肌が露見した時点がその除去作業の終了の目安となる。
【００３２】
そのため、目地処理作業の効率が著しく向上し、作業員の熟練度に左右されない高精度の目地処理を短時間に行うことが可能となる。
【００３３】
また、石膏ボードの接合部分に形成される溝の壁面が上に凸の曲面となるため、それと溝の幅、深さが等しいＶ字状の溝と比べた場合、目地処理に必要となるパテの量を従来の半分以下に節約でき、それに伴って、パテ自体の乾燥に要する時間が短くなる。従って、目地処理の作業効率の向上のみならず、工期の短縮や工事費の節約も可能となる。
【００３４】
さらには、溝に充填するパテの全体量が少なくて済むため、パテの収縮する割合も小さく、目地処理における重ね塗りの回数も減らすことができ、工期の短縮化につなげることができる。
【００３５】
なお、本発明は、上述した実施の形態例に限定されるものではなく、発明の趣旨を逸脱しない範囲において種々の変形が可能である。例えば、上記実施の形態例では、石膏ボード１１の側端部１０の断面形状は、上面側が半径Ｒの円周の１／４円周部分からなる曲線で構成され、下面側が、その曲線に続く直線からなる構造としているが、これに限定されず、例えば、図５（ａ）に示すように、側端部全体の断面形状が、半径Ｒの曲面の１／４円周に対応する形状としてもよい。なお、図５の（ｂ）は、図５（ａ）に示す断面形状を有する石膏ボードを接合したときの接合部分の構成を示す断面図である。
【００３６】
また、石膏ボード１１の側端部１０の断面形状を、図６（ａ）に示すように、その上面側が半径Ｒの円周の１／４円周部分からなる曲線で構成され、下面側も半径Ｒの円周の１／４円周部分からなる曲線、すなわち、側端部１０全体が半径Ｒの円周の１／２円周部分からなる曲線で構成するようにしてもよい。従って、このような断面形状のエッジ部を有する石膏ボードを接合した場合、その接合部分は、図６の（ｂ）に示すように、中心部で互いに接合する構成となる。
【００３７】
このように、石膏ボードの側端部の断面形状を、図５および図６に示す構成としても、上記実施の形態例に係る構成の場合と同様の効果を奏することができることは明らかである。
【００３８】
さらには、上記実施の形態例あるいは上記変形例において、側端部の断面形状を構成する曲線が半径Ｒの真円の一部であるとしているが、その曲線は真円に限定されず、例えば、楕円の１／４円周分、あるいは１／２円周部分に対応させてもよい。
【図面の簡単な説明】
【００３９】
【図１】本発明の実施の形態例に係る石膏ボードの外観斜視図である。
【図２】実施の形態例に係る石膏ボードのエッジ部の断面形状を示す部分的な断面図である。
【図３】実施の形態例に係る石膏ボードを接合したときの接合部分の断面形状を示す図である。
【図４】実施の形態例に係る石膏ボードにおける目地処理工程等を示す図である。
【図５】変形例に係る石膏ボードの側端部全体の断面形状を示す図である。
【図６】変形例に係る石膏ボードの側端部全体の断面形状を示す図である。
【図７】従来の石膏ボードのエッジ部の断面形状を示す図である。
【図８】従来の石膏ボード相互の接合部の断面形状を示す図である。
【符号の説明】
【００４０】
１０    側端部（エッジ部）
１１，１３    石膏ボード
１１ａ，１３ａ    平坦部
１５    溝
２０，２１，２３    パテ
２５    クロス
３０    凹部
【図１】
2005256299.tif 000003
【図２】
2005256299.tif 000004
【図３】
2005256299.tif 000005
【図４】
2005256299.tif 000006
【図５】
2005256299.tif 000007
【図６】
2005256299.tif 000008
【図７】
2005256299.tif 000009
【図８】
2005256299.tif 000010